(57)【要約】【課題】  本発明は、複数のイベント会場内において機能制限をきめ細かく行なうことが出来る携帯機器を提供することを課題とする。【解決手段】  携帯機器１は通信回線６を介してイベント情報管理サーバ２にチケットの申し込みを行なうと、イベント情報管理サーバ２は、電子チケットと共に携帯機器１の機能制限を指示したモード設定情報を携帯機器１に送信する。会場内において、携帯機器１は、このモード設定情報に基づいて、各機能の制限を行なう。【選択図】      図１
2005277723.tif 000002
【特許請求の範囲】
【請求項１】
電子チケットを記憶する電子タグと、
通信回線を介して、前記電子チケットと共に携帯機器の有する機能の制限を指示するモード設定情報を受信する受信手段と、
前記モード設定情報に基づいて、携帯機器の機能制限を行なう機能制限手段と、
を備えることを特徴とする携帯機器。
【請求項２】
前記電子タグは、入退場を示すフラグ情報を記憶し、前記機能制限手段は、前記フラグ情報が入場状態を示しているとき、前記機能制限を行なうことを特徴とする請求項１に記載の携帯機器。
【請求項３】
前記電子タグは、入場日時及び退場日時を記憶し、前記機能制限手段は、当該入場日時及び退場日時をも考慮して、携帯機器の機能制限を行なうことを特徴とする請求項１に記載の携帯機器。
【請求項４】
前記受信手段は、前記モード設定情報と共に前記機能の制限を行なう期間を示すモード設定期間情報を受信し、前記機能制限手段は、前記モード設定期間情報が示す期間内にあるとき、前記機能制限を行なうことを特徴とする請求項１乃至３のいずれか１つに記載の携帯機器。
【請求項５】
前記機能制限は、電源ＯＮ／ＯＦＦ、通話機能の制限、着信音発信機能の制限、メール機能の制限、Ｗｅｂ閲覧機能の制限の少なくとも１つを含むことを特徴とする請求項１乃至４のいずれか１つに記載の携帯機器。
【請求項６】
前記受信手段が前記モード設定情報を受信すると、当該モード設定情報によって指示される機能の制限の制限内容を通知する通知手段と、
ユーザからの指示に基づいて、前記モード設定情報による制限内容を変更する変更手段とを更に備えることを特徴とする請求項１乃至５のいずれか１つに記載の携帯機器。
【請求項７】
前記電子タグは、入退場を示すフラグ情報を記憶し、前記変更手段は、前記フラグ情報が入場状態を示しているとき、制限内容の変更を禁止することを特徴とする請求項６に記載の携帯機器。
【請求項８】
電子タグを有する携帯機器と通信回線によって接続され、当該携帯機器に対して電子チケットを発行するサーバ装置であって、
前記携帯機器からの申し込みに対して、前記携帯機器の有する機能の制限を指示するモード設定情報を生成するモード設定情報生成手段と、
前記電子チケット共に前記モード設定情報を携帯機器に送信する送信手段と、
を備えることを特徴とするサーバ装置。
【請求項９】
前記申し込みは、前記携帯機器の機種を示す情報を含み、前記モード設定情報は、前記機種を示す情報に基づいて前記モード設定情報を生成することを特徴とする請求項８に記載のサーバ装置。
【請求項１０】
電子タグを有する携帯機器内で実行されるプログラムであって、
通信回線を介して、前記電子タグに記憶される電子チケットと共に携帯機器の有する機能の制限を指示するモード設定情報を受信する機能と、
前記モード設定情報に基づいて、携帯機器の機能制限を行なう機能と、
を実現するプログラム。
【請求項１１】
電子タグを有する携帯機器と通信回線によって接続され、当該携帯機器に対して電子チケットを発行するサーバ装置で実行されるプログラムであって、
前記携帯機器からの申し込みに対して、前記携帯機器の有する機能の制限を指示するモード設定情報を生成する機能と、
前記電子チケット共に前記モード設定情報を携帯機器に送信する機能と、
を実現するプログラム。
【発明の詳細な説明】
【技術分野】
【０００１】
本発明は、非接触型電子タグ（ＲＦＩＤ：Radio Frequency ID）などの電子タグを用いた技術に関し、更に詳しくは、電子タグを内部に備えた携帯電話やＰＤＡ等の携帯機器に関する。
【背景技術】
【０００２】
データキャリアとなる非接触型電子タグの普及に伴ない、電子タグを用いた様々なシステムが提案され、また実用化されている。そしてこの電子タグを用いたものの一つとして、インターネットなどを介して電子チケットを取得し、これを携帯電話などの情報端末に備えられた電子タグにこの情報を書き込んで、イベント会場で電子タグの情報を読み取らせことにより、入場チケットと同様に用いる仕組みが考えられている。
【０００３】
またセミナー、演劇、映画等のイベントのイベント会場においては、そのイベント内容に応じて携帯機器による通話を禁止するなどの必要性があるが、そのためのものとして、入場ゲートを通過する際に、携帯機器に対して、電源を切断したりマナーモードに変更する等の設定モードを変更する技術が提案されている。
【０００４】
例えば特許文献１には、電子タグを備えた携帯電話機が入場ゲートを通過するとき、入場ゲートの端末装置がマナーモードへの切り替え指示を行なうと共にタイマーセットを行ない、タイマー時間が経過するとマナーモードを元の動作モードに戻すことにより、退場の際にはゲートを通る必要を無くすことが出来る技術が開示されている。
【特許文献１】特開２００３−６９６７０号公報（段落[００１１]等）
【発明の開示】
【発明が解決しようとする課題】
【０００５】
イベント会場では、通話を行なわれると困るがメール等のやり取りは問題ない場合や、メールなども含めて携帯機器自体の使用を禁止にしたい場合など、そのイベント内容や種類によって禁止したい度合いが異なるが、特許文献１等現在提案されている技術の場合には、この点は考慮されていない。
【０００６】
また携帯機器の機種は多種多様であり、全ての会場にて携帯機器の設定を変更するのは、困難であり、また処理時間を要し、機器のトラブルで入場が遅滞する恐れもある。またユーザによっては、入場ゲートで自己の知らないうちに携帯機器を予期しない設定に変更されるのは不本意の場合もある。
【０００７】
本願発明は、イベント内容等に基づいて、携帯電話等の携帯機器に対する制限を柔軟に行なうことが出来る技術を提供することを課題とする。
また、多数ある携帯機器の機種に柔軟に対応して、設定変更を行なうことが出来る技術を提供することを課題とする。
【０００８】
更に、携帯機器の設定の変更をユーザの了承しうる形で変更することが出来る技術を提供することを課題とする。
【課題を解決するための手段】
【０００９】
上記問題点を解決する為、本発明による携帯機器は、電子タグ、受信手段、及び機能制限手段とを備える。
電子タグは、電子チケットを記憶する。
【００１０】
受信手段は、通信回線を介して、前記電子チケットと共に携帯機器の有する機能の制限を指示するモード設定情報を受信する。
機能制限手段は、前記モード設定情報に基づいて、携帯機器の機能制限を行なう。この機能制限には、例えば、電源ＯＮ／ＯＦＦ、通話機能の制限、着信音発信機能の制限、メール機能の制限、Ｗｅｂ閲覧機能の制限の少なくとも１つを含む。
【００１１】
この構成により、電子チケット共にモード設定情報を受信し、このモード設定情報によって機能制限が行なわれる。
また前記電子タグは、入退場を示すフラグ情報を記憶し、前記機能制限手段は、前記フラグ情報が入場状態を示しているとき、前記機能制限を行なう構成としても良い。或いは前記電子タグは、入場日時及び退場日時を記憶し、前記機能制限手段は、当該入場日時及び退場日時をも考慮して、携帯機器の機能制限を行なう構成としても良い。
【００１２】
これらの構成では、会場に入場している場合のみに機能の制限が行なわれる。
また前記受信手段は、前記モード設定情報と共に前記機能の制限を行なう期間を示すモード設定期間情報を受信し、前記機能制限手段は、前記モード設定期間情報が示す期間内にあるとき、前記機能制限を行なう構成としても良い。
【００１３】
この構成の場合、モード設定期間情報によって設定されている期間のみ機能の制限が行なわれる。
また前記受信手段が前記モード設定情報を受信すると、当該モード設定情報によって指示される機能の制限の制限内容を通知する通知手段と、ユーザからの指示に基づいて、前記モード設定情報による制限内容を変更する変更手段とを更に備える構成としても良い。
【００１４】
この構成の場合、ユーザに制限内容が通知され、ユーザはこの制限内容を変更することが出来る。
更に前記電子タグは、入退場を示すフラグ情報を記憶し、前記変更手段は、前記フラグ情報が入場状態を示しているとき、制限内容の変更を禁止する構成とすることによって、会場内ではユーザが制限内容を解こうとすることを禁止する。
【００１５】
また、本発明によるサーバ装置は、電子タグを有する携帯機器と通信回線によって接続され、当該携帯機器に対して電子チケットを発行することを前提とし、モード設定情報生成手段及び送信手段を備える。
【００１６】
モード設定情報生成手段は、前記携帯機器からの申し込みに対して、前記携帯機器の有する機能の制限を指示するモード設定情報を生成する。
送信手段は、前記電子チケット共に前記モード設定情報を携帯機器に送信する
この構成により、サーバ装置は、携帯機器から申し込みがあった際に、携帯機器の機能の制限を指示することが出来る。
【００１７】
また前記申し込みは、前記携帯機器の機種を示す情報を含み、前記モード設定情報は、前記機種を示す情報に基づいて前記モード設定情報を生成する構成とすることも出来る。
この構成の場合、携帯機器の機種に依存しない、設定を行なうことが出来る。
【００１８】
また、本発明は携帯機器内や、このサーバ装置で実行されるプログラムもその範囲に含む。
【発明の効果】
【００１９】
本発明によれば、会場内において携帯機器に対する機能制限をきめ細かく行なうことが出来る。
またその設定は、携帯機器の機種に依存しない形で行なうことが出来る。
【００２０】
更に機能制限の内容が事前に為されるので、携帯機器のユーザはその内容を変更することが出来る。
【発明を実施するための最良の形態】
【００２１】
以下に本発明に係る一実施形態を図面を参照しながら説明する。
以下の例では、本発明による携帯機器として携帯電話に適用した場合を例として示すが、尚本発明による携帯機器としては、携帯電話やＰＳＨのみに限らず、ＰＤＡや携帯ゲーム器等、情報処理機能と通信機能を備えた携帯可能な機器であれば他のものでも良い。
【００２２】
本実施形態のシステムでは、イベントのチケット等を購入若しくは予約し、イベント会場の入場に必要となる電子チケットを携帯機器の電子タグに書き込む際に、そのイベント内容等を考慮した設定モードについての情報もまた携帯機器１に設定する。そして、イベント会場ではこの情報に基づいて、携帯機器に対する機能制限が行なわれる。
【００２３】
これによって、イベント内容等に基づいた柔軟な携帯機器に対する制限を行なうことが出来、必要以上の制限を加えることが無い。また携帯機器１に依存した設定処理そのものは、イベント会場に来る前に終わっているので、イベント会場の入場ゲートでの処理は迅速に行なうことが出来る。更にチケット購入時に機能制限の設定が行なわれるので、イベント会場に行く前に、ユーザは余裕をもって通知された設定内容を確認、変更することが出来る。
【００２４】
図１は、本実施形態におけるシステムの構成例を示す図である。
同図のシステムでは、携帯機器１、イベント情報管理サーバ２及びホスト装置４が電話回線やインターネット等の通信回線６によって接続されている。尚ホスト装置４とイベント情報管理サーバ２との間の回線は、通信回線６を用いず専用回線を用いる構成としても良い。
【００２５】
携帯機器１は、通信機能を備えた携帯電話等の機器である。また携帯機器１は、内部に電子タグを備え、イベント情報管理サーバ２に対してイベントチケットの発行を申し込みを行なうとこの電子タグに電子チケットが書き込まれる。またチケット発行の際に、イベント情報管理サーバ２からモード設定情報が書き込まれ、イベント会場では、このモード設定情報によって通話やメール等の各種機能の制限が行なわれる。
【００２６】
イベント情報管理サーバ２は、イベント情報の管理を行ない、携帯機器１に対してイベントの電子チケットを発行するネットワークサーバで、携帯機器１からの申し込みに対し、イベントのチケット発行処理を行なう。またこの際に、イベント会場での携帯機器１の機能制限についての設定情報であるモード設定情報を携帯機器１内の電子タグに設定する。イベント情報管理データベース３は、イベント情報管理サーバ２が発行するイベントに対する各種情報をデータベース化して記憶、管理するものである。
【００２７】
ホスト装置４は、イベント会場に設置された複数のリーダ／ライタ５−１〜５−ｎや各リーダ／ライタ５−１〜５−ｎが読み出した情報を管理するものである。リーダ／ライタ５−１〜５−ｎは、イベント会場の出入り口等に設置される電子タグのリーダ／ライタで、隣接した携帯機器１内の電子タグから情報の読み出し／書き換え処理を行なう。またリーダ／ライタ５から収集した、会場への入場日時や退場日時の情報をイベント情報管理サーバ２に送信し、イベント情報管理データベース３内の対応レコードに記憶する。
【００２８】
このようなシステムにおいて、携帯機器１のユーザは、まず通信回線４を介してイベント情報管理サーバ２に接続し、チケットの購入の申し込みを行なう。イベント情報管理サーバ２では、認証処理や決裁処理を行なった後、電子チケットを携帯機器１に送り、電子タグに書き込む。またこのときイベント情報管理サーバ２は、チケットを発行したイベントの内容等を考慮してモード設定情報を生成し、これを携帯機器１に設定する。またこのとき設定内容が、ユーザに通知されるので、このとき或いは後日、イベント会場に出かける前に、ユーザはこの設定を自由に変更することが出来る。
【００２９】
イベント当日、ユーザは、イベント会場に行くと、入り口に設置されたリーダ／ライタ５は携帯機器１の電子タグの書き込まれた電子チケットによって認証処理を行ない、会場への入場を許可する。またこのとき、携帯機器１は、モード設定情報内によって設定された日時の間、モード設定情報に基づいて所定の機能が制限される。
【００３０】
このような動作処理によって、本実施形態による携帯機器１はイベント会場において、イベント内容等に基づいた機能の制限を受けるが、必要以上に携帯機器１の機能の使用制限を受けることが無い。
【００３１】
図２は本実施形態による携帯機器１を携帯電話として構成した場合の構成例を示すブロック図である。
図２の携帯電話は、高周波回路部１３、音声制御部１４、音声入出力部１５、制御部１６、表示部１７及び入力部１８を有している。
【００３２】
高周波回路部１３は、指定されたチャンネルに対応する周波数の電波の送受信処理を行なうユニットである。高周波回路部１３は、制御部１６により指定されたチャンネルで受信した信号を、呼出信号やチャンネル情報などの非音声信号の場合は制御部１６へ、音声信号の場合は音声制御部１４へ送る。また高周波回路部１３は、制御部１６から出力される着信応答信号、発呼要求信号、ダイヤルデータなどの非音声信号や、音声制御部１４から出力される音声信号を対応する高周波電気信号に変換してアンテナ９から出力する。音声制御部１４は、高周波回路部１３からの音声電気信号を音声入出力部１５へ出力し、また音声入出力部１５からの音声電気信号を高周波回路部１３へ出力するユニットである。音声入出力部１５は、制御部１６の制御の下に、音声制御部１４からの音声電気信号をスピーカ１５２へ送り、またマイクロホン１５１からの音声電気信号を音声制御部１４へ出力するユニットである。スピーカ１５２は音声入出力部１５からの音声電気信号を音声に変換して外部に出力するユニットであり、マイクロホン１５１は入力された音声波を電気信号に変換して音声入出力部１５に出力するユニットである。制御部１６は、図２の携帯電話全体の制御を司る部分で、内部にファームウエアとして記憶する制御プログラムに基づいて、機器内の各回路部に制御信号を送り、それらの動作を指示・制御する。また制御部１６は、電子タグから読み出したモード設定情報に基づいて後述する機能制限の処理を行なう。表示部１７は、液晶等によって構成された表示ユニットで、制御部１６の制御指示に基づいて、液晶を駆動させて表示を行なう。入力部１８は、ユーザが操作するプッシュスイッチ等で構成される入力ユニットであり、この入力部１８に対する操作は制御部１６に通知され、制御部１６はこの通知から、ユーザの操作指示に基づいた動作を実現する為に各ユニットを制御指示する。アンテナ９は、受信電波を受けて対応する電気信号を高周波回路部１３に送り、また高周波回路部１３からの電気信号を電波に変換して外部に出力するユニットである。
【００３３】
また図２の携帯電話は、その特徴として電子タグとして機能するＲＦ-ＩＤ回路部１及びそのアンテナ１２を有している。
ＲＦ-ＩＤ回路部１は、アンテナ１２から受信した電波によって電力を発生させ、その電力によってＩＤコード等を、受信した電波に対する応答として携帯アンテナ１２から外部へ出力することによって電子タグとして機能する。
【００３４】
このＲＦ-ＩＤ回路部１１は、内部に記憶しているタグ情報を制御部１６からの指示によって携帯機器側からアクセスすることが出来る。よってＲＦ-ＩＤ回路部１１は、携帯機器を通信回線に接続し、その回線を介して外部からタグ情報を書き換えることにより、電子タグをチケットとして用いることが出来る。
【００３５】
図３は図１のＲＦ−ＩＤ回路部１１の内部構成を示すブロック図である。
図３のＲＦ−ＩＤ回路部１１１は、蓄積部１１１、整流平滑部１１２、送受信部１１３、ＣＰＵ１１４、ＥＥＰＲＯＭ１１５及びスイッチ１１６を有する。
【００３６】
送受信部１１１は、アンテナ１２で受信された電波を検波し、また送信の際はＥＥＰＲＯＭ１１５に格納されているタグ情報を変調してアンテナ１２から出力する。整流平滑部１１２は、送受信部１１１で検波された信号を直流電圧または直流電流に変換する。蓄積部１１３は、受信電波により得られた電気エネルギーを蓄積しておき、電波送信時等に使用する電気エネルギーとして利用する。ＣＰＵ１１４は、内部１にファームウエアとして記憶する制御プログラムに基づいてＲＦ−ＩＤ回路部１１全体の制御を行なうもので、アンテナ１２から受信した信号を解析し、その結果に基づいてＥＥＰＲＯＭ１１５内の情報をアンテナ１２を介して外部１に出力したり、ＥＥＰＲＯＭ１１５内の情報を書き換えたりする。またＣＰＵ１１４は、バスライン１１７によって制御部１６と繋がっており、このバスライン１１７からの指示に基づいて、ＥＥＰＲＯＭ１１５内のデータを制御部１６に送出したり、ＥＥＰＲＯＭ１１５内のデータを書き換えたりする。ＥＥＰＲＯＭ１１５は、不揮発性半導体メモリからなり、タグの識別コードとなるＩＤコードなど電子タグとして使用する為に必要なタグ情報を記憶する。スイッチ１１６は、電力を供給する為のもので、制御部１６からのスイッチ制御ラインによって蓄積部１１１と電源ラインとのＯＮ／ＯＦＦを切り替える。スイッチ１１６は、制御部１６からの指示によってＣＰＵ１１１がＥＥＰＲＯＭ１１５からデータの読み書きを行なうときに、ＯＮとなりＣＰＵ１１４及びＥＥＰＲＯＭ１１５に電力を供給する。これにより、リーダ／ライタ５からの電波によらず、携帯電話の制御部１６から電子タグをアクセスできる。
【００３７】
尚図２は、ＲＦ-ＩＤ回路部１１は、スイッチ１１６がＯＮとなっているとき以外、受信電波から得られた電力によって駆動する構成となっているが、電波からの電力に加え携帯電話などの携帯機器の電池等から常に、もしくは電子タグが送受信を行なう時に電力が供給され、この電力によって駆動する構成としても良い。
【００３８】
このような構成により、ＲＦ-ＩＤ回路部１１は、アンテナ１２によってタグリーダ／ライタからの電波を受信することにより、ＥＥＰＲＯＭ１１５内のタグ情報にアクセスするだけでなく、制御部１６からの指示によっても、アクセスすることが出来る。これにより、携帯機器側からの指示制御、例えば携帯機器を通信回線に接続し、その通信回線を介しての指示、或いは携帯機器に備えられている入出力装置から指示することによっても、ＥＥＰＲＯＭ１１５内のタグ情報にアクセスすることが出来る。
【００３９】
図４は、ＥＥＰＲＯＭ１１５内に記憶される電子タグ情報を示す図である。
同図のＥＥＰＲＯＭ１１５には、無線通信によって外部からアクセスされる電子タグ情報として、ＩＤコード、認証情報、モード設定情報、モード設定期間、入場日時、退場日時、入／退場フラグ及び各種データが記憶されており、このうちモード設定情報、モード設定期間、入場日時、退場日時、及び入／退場フラグが入退管理データとして、会場への入退場の管理に用いられる。
【００４０】
ＩＤコードは、各電子タグを一意に識別する識別コードで、各電子タグにそれぞれ異なった値が付せられる。イベント情報管理サーバ２は、チケット購入（若しくは予約）の申し込みと共にこのＩＤコードを携帯機器１から受け取り、これをチケット購入（予約）の記録としてイベント情報管理データベース３に登録し、またホスト装置４はリーダ／ライタ５が読み取った電子タグ情報内のＩＤコードを用いて携帯機器１のユーザを特定し、入場の許可を行なうか否かを決定する。認証情報は電子チケットに対応するもので、携帯機器１のユーザがイベント会場に入場する際に、リーダ／ライタ５はこの認証情報を読み出して、認証処理を行ない、入場を許可するか否かを決定する。
【００４１】
モード設定情報は、携帯機器１の機能制限についての情報で、携帯機器１は、このモード設定情報に基づいて、機能の制限が行なわれる。本実施形態では、このモード設定情報では、通話の許可／不許可、着信音の発信の許可／不許可、メール機能（メールの作成や、送受信）、Ｗｅｂ閲覧の許可／不許可、及び電源のＯＮ／ＯＦＦの５つがモード設定として定義することが出る。モード設定期間は、モード設定情報によって携帯機器１が制限を受ける期間を示す情報で、このモード設定期間に設定されている期間の間、携帯機器１はモード設定情報に基づいた機能の制限を行なう。尚このモード設定期間は、期間開始日時と終了日時を表わす構成の他、会場に入場してからの時間を示す構成としても良い。入場日時及び退場日時は、会場へ入場した時刻及び退場した時刻を示す情報で、会場でリーダ／ライタ５によって記録される。入／退場フラグは、現在会場に入場している状態にあるかどうかを示すフラグ情報である。各種データは、会場で用いられる各種情報である。
【００４２】
図５は、イベント情報管理データベース３に登録されているデータの構成例を示す図である。
イベント情報管理データベース３には、イベント情報管理サーバ２が扱う各イベント単位で図５に示すようなデータ４１（４１−１，４１−２、・・・）が構成され、各データ４１にはそのデータが対応するイベントのイベント名、そのイベントでの携帯機器１の機能制限を規定するモード情報が記憶されている。このモード情報は、イベントの内容や会場の状態などを考慮して、会場内部での携帯機器１の使用をどこまで許可するかを決め、各機能それぞれを使用できる状態におくか否かを設定した情報である。
【００４３】
また各データ４１には、チケットが購入されたり予約される毎に、その記録として、そのチケットを購入若しくは予約した携帯機器１のＩＤコード、認証情報、モード設定情報、モード設定期間、入場日時、退場日時及び送信先をデータとして持つレコード４２（４２−１，４２−２、・・・）が生成される。またこれらの情報のうち、ＩＤコード、認証情報、モード設定情報、モード設定期間、入場日時及び退場日時は、図４に示した電子タグ内に記憶されるものと同じ情報であり、ＩＤコード、認証情報、モード設定情報及びモード設定期間はチケット購入時にこのレコードが生成される際にイベント情報管理データベース２に記憶され、入場日時及び退場日時はホスト装置４から送られてきた情報に基づいて記録される。
【００４４】
イベント情報管理サーバ２は、携帯機器１からチケット購入や予約の申し込みがあると、認証処理や決裁処理を行なった後、そのイベントに対応するデータ４１にレコード４２を作成し、携帯機器１から送信されたＩＤコード及び認証処理に用いた認証情報、モード情報から生成したモード設定情報、モード設定期間等をこのレコードに記録する。また電子チケットと共にモード設定情報を携帯機器１に送信する。
【００４５】
図６は、イベント情報管理サーバ２若しくはホスト装置４を構成する情報処理装置のシステム環境を示す図である。
本実施形態におけるイベント情報管理サーバ２やホスト装置４は、図６に示す様にＣＰＵ５１、主記憶装置５２、ハードディスク等の補助記憶装置５３、ディスプレイ、キーボード、電子タグの読み出し／書き込み器，等の入出力装置（Ｉ／Ｏ）５４、通信回線３４との接続を行なうモデム等のネットワーク接続装置５５及びディスク、磁気テープなどの可搬記憶媒体５８から記憶内容を読み出す媒体読取り装置５６を有し、これらが互いにバス５７により接続される構成を備えている。
【００４６】
図６の情報処理装置は、媒体読取り装置５６により磁気テープ、フロッピー（登録商標）ディスク、ＣＤ−ＲＯＭ、ＭＯ等の記憶媒体５８に記憶されているプログラム、データを読み出し、これを主記憶装置５２または補助記憶装置５３にダウンロードする。そしてこのプログラムやデータに基づいて、ＣＰＵ５１が実行処理を行なうことにより、フローチャートを用いて後述する各種処理の機能を実現する。
【００４７】
図７は、チケット購入時に携帯機器１によって行なわれる処理を示すフローチャートである。同図の処理は、携帯機器１内の制御部６が内部に記憶している制御プログラムを実行することによって実現される。
【００４８】
同図は、携帯機器１の電源が投入された時点からの処理を示しており、電源が投入されるとステップＳ１として、後述する電源ＯＦＦ処理を行ない、モード設定情報に電源ＯＦＦが設定されていた場合には、電源をＯＦＦにして処理を終了する。
【００４９】
ステップＳ１の電源ＯＦＦ処理で、携帯機器１の電源がＯＦＦにならず、この状態でユーザが入力部８の操作によって入力指示を行なうと、ステップＳ２として、制御部１６は、高周波回路部１３を制御して、通信回線６を介してイベント情報管理サーバ２と接続し、イベント情報管理サーバ２からのデータによって表示部１７にログイン画面を表示する。
【００５０】
この画面上からユーザが、入力部８を操作して認証情報を入力すると、制御部１６は高周波回路部１３この入力情報をイベント情報管理サーバ２に送信させると、イベント情報管理サーバ２は認証結果を返信してくるので、制御部１６は高周波回路部１３からこれを受け取る。そしてこの認証結果が、未認証であった場合（ステップＳ５、Ｎ）、ステップＳ３に処理を移し、再度ログイン画面を表示して、ユーザに認証情報の入力をやり直させる。
【００５１】
ステップＳ５において、イベント情報管理サーバ２からの認証結果が認証の許可を示すものであれば（ステップＳ５、Ｙ）、ステップＳ６として認証結果と共に受け取った情報に基づいて、イベント情報管理サーバ２が扱っているイベントについての情報（日程、価格等）を表示部１７に表示する。
【００５２】
ユーザは、この表示を見て入力部１８を操作してチケットを購入するイベントを選択指示し（ステップＳ７、Ｙ）、若しくは購入を取りやめて処理を終了する（ステップＳ７、Ｎ）。
【００５３】
ステップＳ７でユーザが、購入するチケットを選択すると、次に料金の支払方法やクレジットカードの番号等の決裁情報の入力をユーザに促がし、ユーザが必要な情報を入力すると（ステップＳ８）、制御部１６は高周波回路部１３にこれらの情報をイベント情報管理サーバ２に送信させ、イベント情報管理サーバ２は、応答として電子タグにセットする情報（図４に示した電子チケットに対応する認証情報、入退管理データ及び各種データ）及びこれをセットする設定プログラムを返信する。制御部１６は、ステップＳ９としてこの設定プログラムを実行することにより、ＲＦ−ＩＤ回路部１１内のＣＰＵ１１４はこれらの情報をＥＥＰＲＯＭ１１５の所定の位置へセットさせる。
【００５４】
そしてこの各モードの設定が完了すると、この設定内容を表示部１７に表示してユーザに通知（ステップＳ１０）する。この通知を見てユーザが、設定されたモードの設定の変更を入力部１８を操作して指示しなければ（ステップＳ１１、Ｎ）、本処理は終了し、
モードの設定を変更を指示すれば（ステップＳ１１、Ｙ）、ステップＳ１２として、ユーザの指示に基づいて、電子タグ内に記憶されたモード設定情報を変更した後、本処理を終了する。
【００５５】
この様に、本実施形態における携帯機器１では、チケットの購入若しくは予約処理として、イベント情報管理サーバ２に接続した際に、イベント会場での機能制限の設定が行なわれる。またこの設定内容は、ユーザに通知され、ユーザはこの設定の変更を行なうことが出来る。
【００５６】
尚上記フローでは、チケット購入時に、モードの設定状態がユーザに通知され、このときユーザがモードの設定変更を行なうようになっているが、ユーザは、任意の時期にこの設定変更を行なえるようにしても良い。またこのときは、設定変更を行なう前に入／退場フラグをチェックし、入場状態にある場合には、ユーザに対して設定変更を許可しない構成とする。
【００５７】
図８は、電子タグ内のモード設定情報に基づいて携帯機器１の機能制限を行なう処理を示すフローチャートである。同図の処理も、携帯機器１内の制御部６が内部に記憶している制御プログラムを実行することによって実現される。
【００５８】
同図の処理は、電源投入やリーダ／ライタ５によって、電子タグ情報へのアクセスが行なわれると開始され、まずステップＳ２１として、後述する電源ＯＦＦ処理を行ない、モード設定情報に電源ＯＦＦが設定されていた場合には、電源をＯＦＦにして処理を終了する。
【００５９】
ステップＳ２１の電源ＯＦＦ処理で、電源がＯＦＦにならなかった場合、次にステップＳ２２として、ポインタｎが１に初期化される。尚以下の例では、モード設定情報には、電源ＯＮ／ＯＦＦの指示の他にモード１からモード４までの４つの機能についての使用の許可／不許可の設定が為されているものとし、以下のステップＳ２３〜Ｓ３０に示す処理によって各モードに対応する機能のＯＮ／ＯＦＦを設定してゆく。
【００６０】
ステップＳ２３において、モード設定情報のモードｎに対する設定がＯＮ／ＯＦＦどちらになっているか調べ、ＯＮとなっていたら（ステップＳ２３、Ｎ）、処理をステップＳ２７に移してモードｎに対応する機能をＯＮに設定する。
【００６１】
ステップＳ２３において、モード設定情報のモードｎに対する設定がＯＦＦとなっていたら（ステップＳ２３、Ｙ）、次にステップＳ２４として電子タグ情報内のモード設定期間を調べ、現在の日時がこの期間前であったなら（ステップＳ２４、前）、処理をステップＳ２７に移し、この期間後であったなら（ステップＳ２４、後）、ステップＳ２５として電子タグ内の入退管理データ（図４のモード設定情報、モード設定期間、入場日時、退場日時、及び入／退場フラグ）を消去した後、処理をステップＳ２７に移す。
【００６２】
ステップＳ２７において、現在の日時がモード設定期間内、即ち機能の制限を受ける期間内であれば（ステップＳ２４、期間内）、ステップＳ２６として電子タグ情報内の入／退場フラグの設定を調べ、現在会場へ入場した状態であれば（ステップＳ２６、Ｙ）、携帯機器１の機能に制限を加える必要があるので、ステップＳ２８としてモードｎに対応する携帯機器１の機能をＯＦＦに設定し、またステップＳ２６で現在会場に入場した状態に無ければ（ステップＳ２６、Ｎ）、ステップＳ２７としてモードｎに対応する携帯機器１の機能をＯＮに設定する。
【００６３】
以降ステップＳ３０でポインタｎをインクリメントしながら、ポインタｎがモードの数Ｎ（本例では４）になるまでステップＳ２３〜Ｓ３０の処理を繰り返し（ステップＳ２９、Ｎ）、ポインタｎがＮとなり、全てのモードに対してステップＳ２３〜Ｓ３０処理を行なったら（ステップＳ２９、Ｙ）、本処理を終了する。
【００６４】
この様に本実施形態による携帯機器１では、事前に機能制限についての設定は完了しており、イベント会場への入退場をトリガとして、この事前設定に基づいて機能制限、制限解除を行なうだけなので、イベント会場では、携帯機器１とリーダ／ライタ５との間で複雑なやり取りを必要としない。よって、機器のトラブルが発生する危険性が小さい。
【００６５】
図９は、図７のステップＳ１及び図８のステップＳ２１の電源ＯＦＦ処理の詳細な処理を示すフローチャートである。
同図の処理では、モード設定情報に電源ＯＦＦの設定に対する処理を行なっている。
【００６６】
同図の処理が開始されると、まずステップＳ４１として制御部１６は、電子タグから電子タグ情報を読み出す。
次に制御部１６は、ステップＳ４１で読み出した電子タグ情報中のモード設定情報を調べ、電源ＯＦＦ設定が無ければ（ステップＳ４２、Ｎ）、本処理をから抜けて、図７のステップＳ２若しくは図８のステップＳ２２に処理を移す。
【００６７】
ステップＳ４２において、モード設定情報に電源ＯＦＦ設定がされていれば（ステップＳ４２、Ｙ）、次にモード設定期間を調べ、現在の日時がこの期間前であったなら（ステップＳ４３、前）、本処理をから抜けて図７のステップＳ２若しくは図８のステップＳ２２に処理を移し、この期間後であったなら（ステップＳ４３、後）、ステップＳ４６としてとして電子タグ内の入退管理データを消去した後、本処理をから抜けて図７のステップＳ２若しくは図８のステップＳ２２に処理を移す。
【００６８】
ステップＳ４３において、現在の日時がモード設定期間内、即ち機能の制限を受ける期間中であれば（ステップＳ４３、期間中）、ステップＳ４４として、携帯機器１のユーザに電源を切ることを報知後、ステップＳ４５として電源をＯＦＦにして本処理を終了する。
【００６９】
図１０は、携帯機器１からイベントのチケット購入若しくは予約の申し込みを受けたイベント情報管理サーバ２による処理を示すフローチャートである。同図の処理は、イベント情報管理サーバ２内のＣＰＵ５１が主記憶装置５２をワークメモリとしてプログラムを実行することにより実現される。
【００７０】
イベント情報管理サーバ２は、ステップＳ５１として、通信回線３４を介して携帯機器１から、携帯機器１の機種名やＩＤコード等のデータを含む申し込みを受信すると、ステップＳ５２としてこのＩＤコード等を用いて携帯機器１のユーザに対する認証処理を行ない、その結果、不許可であれば（ステップＳ５３、Ｎ）、ステップＳ５９として携帯機器１に対して不許可通知を送信して本処理を終了する。
【００７１】
ステップＳ５３において、認証処理の結果が許可する場合には（ステップＳ５３、Ｙ）、ステップＳ５４として料金の支払い等の決裁処理を行なう。
次にステップＳ５５として、携帯機器１が購入若しくは予約したチケットのイベント名から、対応するデータ４１をイベント情報管理データベース３から探索し、その中のモード情報を取得する。そしてこのモード情報から、携帯機器１の種類に応じたモード設定情報を生成する。
【００７２】
図１１は、モード設定情報を生成する為の変換テーブルである。
この変換テーブルは、イベント情報管理サーバ２内のメモリ上に置かれるもので、イベント情報管理サーバ２のＣＰＵ５１は、携帯機器１の機種名から対応コマンドを求め、モード情報をモード設定情報に変換する。
【００７３】
同図の例では、変換テーブルには、モード１〜４の４つのモード（例えば通話の許可／不許可、着信音の発信の許可／不許可、メール機能のＯＮ／ＯＦＦ、Ｗｅｂ閲覧機能のＯＮ／ＯＦＦ）の設定とモード０として電源のＯＮ／ＯＦＦに対する設定を行なうコマンド、及びモード設定を行なう設定プログラムのプログラム名が携帯機器１の機種毎に示されている。尚機種名ＰＴ４５のモード２〜４のように対応コマンドが示されていないものは、この機種にはそのモードの対応機能が無いか、機能に制限を加えられないことを示している。
【００７４】
この変換テーブルから、例えば機種名Ｘ１２３の携帯機器１に対して、モード１に対応する機能を設定する際には、‘ＴＰ’コマンドを用いることが分かる。この変換テーブルを用いてモード情報をモード設定情報に変換し、また各機種に対応する設定プログラムを用いてモード設定を行なうことによって、携帯機器１の機種に依存しない形で機能の制限の設定を行なうことが出来る。
【００７５】
イベント情報管理サーバ２では、この変換テーブルを用いて得たモード設定情報及び設定プログラムを電子チケットと共に図１０のステップＳ５７として、携帯機器１に送信する。
【００７６】
そして最後に、イベント情報管理データベース３の対応するデータ４１に、チケット購入（予約）の記録として、携帯機器１から通知されたＩＤコード、認証情報、モード設定情報、モード設定期間を記録したレコード４２を生成して、本処理を終了する。
【００７７】
この様に本実施形態では、多種多様な携帯機器１に対して、機種に依存しない機能制限のモード設定を行なうことが出来る。また、この設定内容の変更や新規機種の追加は、変換テーブルの内容を変更すればよく、容易に行なうことが出来る。
【００７８】
図１２は、ホスト装置４によって行なわれる処理を示すフローチャートである。同図の処理は、ホスト装置４内のＣＰＵ５１が主記憶装置５２をワークメモリとしてプログラムを実行することにより実現される。
【００７９】
ステップＳ６１としてホスト装置４が管理しているリーダ／ライタ５が、携帯機器１の電子タグ内の電子タグ情報を読み出すと、この読み出した電子タグ情報はホスト装置４二通打ちされ、ホスト装置４は、この電子タグ情報内の認証情報をイベント情報管理データベース３内の認証情報と照合する。尚この照合は、通信回線６を介してイベント情報管理サーバ２に問い合わせる構成としても、イベント情報管理データベース３に記憶された情報のコピーをイベント日前までに事前に、ホスト装置４内に記憶させておき、このコピー情報を用いる構成としても良い。以下の説明では、ホスト装置４内にイベント情報管理サーバ２のデータのコピーをローカルデータとして保持しているものとする。そして、イベント終了後に、このローカルデータをイベント情報管理サーバ２に送ってイベント情報管理データベース３内のデータを更新するものとする。
【００８０】
ステップＳ６２の照合の結果、両者が一致せずに入退場を許可しない場合には（ステップＳ６３、Ｎ）、ステップＳ６４としてホスト装置４は電子タグ情報を読み出したリーダ／ライタ５に対してユーザに入退場を許可しない旨の報知を行なわせ本処理を終了する。
【００８１】
ステップＳ６２の照合の結果、両者が一致し、認証許可する場合には（ステップＳ６３、Ｙ）、ステップＳ６５として入場をしようとしているのか退場をしているのかを判断し、入場の場合には（ステップＳ６５、Ｙ）、ステップＳ６６として電子タグ情報を読み出したリーダ／ライタ５に対して入場日時を携帯機器１の電子タグに書き込ませ、ステップＳ６７として、電子タグ内の入／退場フラグを入場にセットし、ステップＳ６８として、入場日時を携帯機器１のイベント情報管理データベース３のローカルデータに書き込んで、本処理を終了する。
【００８２】
またステップＳ６５において、退場しようとしていると判断したときは（ステップＳ６５、Ｎ）、ステップＳ６９として電子タグ情報を読み出したリーダ／ライタ５に対して退場日時を携帯機器１の電子タグに書き込ませ、ステップＳ７０として、電子タグ内の退／退場フラグを退場にセットし、ステップＳ７１として、退場日時を携帯機器１のイベント情報管理データベース３のローカルデータに書き込んで、本処理を終了する。
【００８３】
このように本実施形態によれば、イベント会場内において携帯機器に対する機能制限をきめ細かく行なうことが出来る。
またその設定は、携帯機器の機種に依存しない形で行なうことが出来る。
【００８４】
更に設定が事前に為されるので、携帯機器のユーザはその内容を変更することが出来る。
尚上記例では、電子タグとして非接触型電子タグを用いていたが、ＲＦＩＤに限らず他の電子タグであっても良い。
【００８５】
またイベント情報管理サーバ２から送られてきたモード設定情報を電子タグ内に設定してたが、携帯機器１の制御部１６内のメモリに記憶、設定する構成としても良い。
また、電子チケットは、イベントに対するものとしていたが、他のもの、例えば乗り物への乗車券として、乗り物内での携帯機器の使用制限を行なう構成としても良い。
【００８６】
また、電子タグ情報には入／退場フラグを設けずに、入場日時のみ書き込まれた状態を入場状態、入場日時と退場日時の両方が書き込まれた状態若しくは両方とも書き込まれていない状態を退場状態と判断する構成としても良い。
【図面の簡単な説明】
【００８７】
【図１】本実施形態におけるシステムの構成例を示す図である。
【図２】本実施形態による携帯機器の構成例を示すブロック図である。
【図３】ＲＦ−ＩＤ回路部の内部構成を示すブロック図である。
【図４】ＥＥＰＲＯＭ内に記憶される電子タグ情報を示す図である。
【図５】イベント情報管理データベースに登録されているデータ構成例を示す図である。
【図６】イベント情報管理サーバ若しくはホスト装置を構成する情報処理装置のシステム環境を示す図である。
【図７】チケット購入時に携帯機器によって行なわれる動作処理を示すフローチャートである。
【図８】電子タグ内のモード設定情報に基づいて携帯機器の機能制限を行なう動作処理を示すフローチャートである。
【図９】電源ＯＦＦ処理の詳細を示すフローチャートである。
【図１０】イベント情報管理サーバによる動作処理を示すフローチャートである。
【図１１】変換テーブルの例を示す図である。
【図１２】ホスト装置による動作処理を示すフローチャートである。
【符号の説明】
【００８８】
１          携帯機器
２          イベント情報管理サーバ
３          イベント情報管理データベース
４          ホスト装置
５          リーダ／ライタ
１１        ＲＦ−ＩＤ回路部
１２        アンテナ
１３        高周波回路部
１４        音声制御部
１５        音声入出力部
１６        制御部
１７        表示部
１８        入力部
１９        アンテナ
１１１      蓄積部
１１２      整流平滑部
１１３      送受信部
１１４      ＣＰＵ
１１５      ＥＥＰＲＯＭ
１１６      スイッチ
１１７      バスライン
【図１】
2005277723.tif 000003
【図２】
2005277723.tif 000004
【図３】
2005277723.tif 000005
【図４】
2005277723.tif 000006
【図５】
2005277723.tif 000007
【図６】
2005277723.tif 000008
【図７】
2005277723.tif 000009
【図８】
2005277723.tif 000010
【図９】
2005277723.tif 000011
【図１０】
2005277723.tif 000012
【図１１】
2005277723.tif 000013
【図１２】
2005277723.tif 000014